(57)【要約】【課題】遊技の趣向性を向上させることが可能な遊技機を提供すること。【解決手段】当否判定結果を報知する識別図柄１０を表示する表示手段９１と、前記識別図柄１０を用いた単位演出を一または複数回繰り返し、その回数によって当否判定結果が当たりとなる蓋然性を示唆する連続演出２０を実行する連続演出実行手段と、当否判定結果を示唆する演出要素が段階的にステップアップするステップアップ演出２０を実行するステップアップ演出実行手段と、を備え、前記ステップアップ演出２０は、前記単位演出の発生によって前記演出要素がステップアップするように、かつ前記単位演出の発生時以外にも前記演出要素がステップアップする可能性があるように設定されており、当該ステップアップの発生回数が前記単位演出の発生回数以上となるように構成されている遊技機１とする。【選択図】図５
2018196830.tif 000002
【特許請求の範囲】
【請求項１】
ある当否判定結果を報知する識別図柄が変動を開始してから当該ある当否判定結果を示す組み合わせで停止するまでの変動中演出を構成する演出として、演出要素が段階的にステップアップするステップアップ演出を実行するステップアップ演出実行手段と、
前記変動中演出が開始される時点よりも前に、前記ある当否判定結果が当たりとなる蓋然性が高まったことを、当該ある当否判定結果よりも前に報知が完了する一または複数の当否判定結果を報知する変動前演出を利用して示唆する先読み演出を実行する先読み演出実行手段と、
を備え、
前記先読み演出の一種として、前記変動中演出が開始される時点より前に、前記演出要素のステップアップが発生することを予告する特定先読み演出が実行される可能性があり、
前記特定先読み演出によって前記演出要素のステップアップが発生することが予告された場合には、前記変動中演出にて前記演出要素のステップアップが発生するように設定されていることを特徴とする遊技機。
【発明の詳細な説明】
【技術分野】
【０００１】
本発明は、遊技機に関する。
【背景技術】
【０００２】
下記特許文献１に記載される擬似連続演出や先読み連続演出等、当否判定結果を報知する図柄を停止または擬似停止させた上で、再び変動させる演出（以下、単位演出と称することもある）を一または複数回繰り返し、その回数によって当否判定結果が当たりとなる蓋然性（以下、信頼度と称することもある）を示唆する連続演出が周知である。
【先行技術文献】
【特許文献】
【０００３】
【特許文献１】特開２０１６−１６１１３号公報
【発明の概要】
【発明が解決しようとする課題】
【０００４】
本発明が解決しようとする課題は、遊技の趣向性を向上させることが可能な遊技機を提供することにある。
【課題を解決するための手段】
【０００５】
上記課題を解決するためになされた本発明にかかる遊技機は、ある当否判定結果を報知する識別図柄が変動を開始してから当該ある当否判定結果を示す組み合わせで停止するまでの変動中演出を構成する演出として、演出要素が段階的にステップアップするステップアップ演出を実行するステップアップ演出実行手段と、前記変動中演出が開始される時点よりも前に、前記ある当否判定結果が当たりとなる蓋然性が高まったことを、当該ある当否判定結果よりも前に報知が完了する一または複数の当否判定結果を報知する変動前演出を利用して示唆する先読み演出を実行する先読み演出実行手段と、を備え、前記先読み演出の一種として、前記変動中演出が開始される時点より前に、前記演出要素のステップアップが発生することを予告する特定先読み演出が実行される可能性があり、前記特定先読み演出によって前記演出要素のステップアップが発生することが予告された場合には、前記変動中演出にて前記演出要素のステップアップが発生するように設定されていることを特徴とする。
【発明の効果】
【０００６】
本発明にかかる遊技機によれば、遊技の趣向性を向上させることが可能である。
【図面の簡単な説明】
【０００７】
【図１】本実施形態にかかる遊技機の正面図である。
【図２】（ａ）識別図柄の一覧図であり、（ｂ）は基本態様の付随図柄と特殊態様の付随図柄を併せて示した図である。
【図３】ステップアップ演出の概略を説明するための図である。
【図４】擬似連続演出の概略を説明するための図である。
【図５】ステップアップ演出と擬似連続演出が組み合わされた複合演出を説明するための図（第二擬似停止態様が発生する場合の演出の流れを示した図）である。
【図６】ステップアップ演出と擬似連続演出が組み合わされた複合演出を説明するための図（第三擬似停止態様が発生する場合の演出の流れを示した図）である。
【図７】第一具体例を説明するための図である。
【図８】第二具体例を説明するための図であって、ステップアップが発生する可能性がある特定タイミングを示した概念図である。
【図９】第二具体例を説明するための図であって、ステップアップ演出の態様を決定するための制御（抽選）フローを示した図である。
【図１０】第三具体例を説明するための図であって、特定先読み演出が対象変動開始時点を跨いで実行される演出例を示した図である。
【図１１】第三具体例を説明するための図であって、（ａ）は各種演出の発生するタイミングや長さを時系列で示した図であり、（ｂ）は特定先読み演出の時間配分を説明するための図である。
【図１２】第四具体例を説明するための図であって、確定図柄を利用した擬似連続演出の一例を示した図である。
【図１３】第四具体例を説明するための図であって、示唆図柄を利用した擬似連続演出の一例を示した図である。
【図１４】第四具体例を説明するための図であって、示唆図柄を利用した擬似連続演出の一例を示した図（図１３（ｃ）において、分岐演出の結末が成功結末となった場合）である。
【図１５】図１３（ｃ）において、分岐演出の結末が失敗結末となった場合におけるその後の演出例を示した図である。
【図１６】第五具体例を説明するための図であって、ステップアップの段階と補助画像の関係を説明するための図（その一）である。
【図１７】第五具体例を説明するための図であって、ステップアップの段階と補助画像の関係を説明するための図（その二）である。
【図１８】第五具体例の変形例を説明するための図である。
【図１９】第六具体例を説明するための図である。
【図２０】第七具体例を説明するための表である。
【図２１】第七具体例をさらに発展させた例を説明するための表である。
【発明を実施するための形態】
【０００８】
以下、本発明にかかる遊技機１の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１０】
遊技領域９０２には、始動入賞口９０４、大入賞口９０６、アウト口９０７などが設けられている。表示装置９１の表示領域９１１は、遊技盤９０に形成された開口９０１を通じて視認可能となる領域である。なお、図３等、表示領域９１１が示される図面においては、表示領域９１１を大まかに記載するが、その形状等は適宜変更可能である（開口９０１の形状や大きさ、表示装置９１自体の形状や大きさを変更することで表示領域９１１の形状等を変更することができる）。
【００１１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１２】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１３】
なお、遊技機１の枠体、遊技球を貯留する下皿や上皿など、本発明に関係のない遊技機１の構成要素は説明を省略する。これらについては公知の遊技機と同様の構造のものが適用できる。
【００１４】
当否の抽選（当否判定）は、図示されない制御基板に設けられた当否判定手段が、図１に示す始動入賞口９０４への遊技球の入賞を契機として実行する（このような始動入賞口９０４は複数設けられていてもよい）。なお、本実施形態では入賞「口」（入賞した遊技球が内部に取り込まれるもの）であるが、入賞「領域」（入賞した遊技球がそのまま遊技領域９０２を流下するもの。入賞領域をゲートのような態様としたものが例示できる）であってもよい。
【００１５】
始動入賞口９０４への遊技球の入賞を契機として乱数源から数値が取得され、当該数値が予め定められた大当たりの数値と同じである場合には大当たりとなり、異なる場合にははずれとなる。つまり、始動入賞口９０４への遊技球の入賞を契機として、直接的に大当たりの当選の有無を判定するものである。
【００１６】
また、本実施形態では、上記当否判定を行うための数値が取得された順に当否判定結果の報知が開始されることとなるが、ある数値が取得されたときに、それより前に取得された数値に基づく当否判定結果が報知されている際には、当該ある数値に基づく当否判定結果の報知が開始されるまで、図示されない制御基板に設けられた記憶手段に記憶される。未だ当否判定結果の報知が開始されていない数値（以下、保留（情報）と称することもある）の最大の記憶数（最大保留数）は適宜設定することができる。本実施形態における記憶手段が記憶できる最大の保留情報の数は四つである。なお、当否判定を行うために取得された数値は、当否判定結果を報知する演出の具体的な内容を決定するための数値としても利用される。表示領域９１１には、当該保留情報の存在を示す表示（保留表示５０；図３等参照）がなされるようにしてもよい。また、始動入賞口９０４に入賞したことを契機として即座に当否判定を行い、当否判定結果自体を記憶手段に記憶させておく構成としてもよい（かかる場合には、当否判定結果それ自体が保留情報ということになる）。
【００１７】
当否判定結果が大当たりであるかはずれであるかは、表示装置９１の表示領域９１１に表示される複数種（本実施形態では七種）識別図柄１０の組み合わせによって報知される。図２（ａ）に示すように、本実施形態では、「１」〜「７」の数字（後述する主図柄１１である）を含む三つの識別図柄１０群（左の識別図柄１０群・中の識別図柄１０群・右の識別図柄１０群）が変動表示される。各識別図柄１０群は、ある当否判定結果を報知する演出の開始と同時に変動を開始し、大当たりに当選している場合には識別図柄１０は最終的に所定の組み合わせで停止する。当該所定の組み合わせとしては、同じ識別図柄１０の三つ揃いが例示できる。はずれである場合には識別図柄１０は大当たりとなる組み合わせ以外の組み合わせで停止する。
【００１８】
本実施形態における各識別図柄１０は、主図柄１１および付随図柄１２を含む（図２（ａ）参照）。主図柄１１は、例えば数字やアルファベットといった文字を含む部分である。上述したように、本実施形態における主図柄１１は「１」〜「７」の数字のいずれかを含む。一方、本実施形態における付随図柄１２はキャラクタを表した絵柄を含む部分である。具体的には、キャラクタＡ〜Ｇのいずれかを表した絵柄を含む。付随図柄１２は、演出効果を高めるための部分であるため、演出に合わせて大きさや形態等が変化する場合がある。例えば、付随図柄１２を構成するキャラクタが動作等する場合がある。
【００１９】
本実施形態では、付随図柄１２の態様として、少なくとも、基本態様１２１と一または複数種の特殊態様１２２が設定されている（図２（ｂ）参照）。なお、ここでいう「態様」とは、静止した画像（静止画）として特定されるものだけでなく、動きのある画像（動画）として特定されるものを含む。つまり、基本態様１２１と特殊態様１２２とは、遊技者が見た目上区別することができる差異が設定されているものであれば、当該差異の設定手法はどのようなものであってもよい（大きさの違い、形態の違い、動きの違い等、種々考えられる）。各図においては、基本態様１２１と特殊態様１２２の差を簡略化して示している。
【００２０】
一方、主図柄１１は基本的にはその態様が変化しないものであり（変化することを否定するものではないが、どのように変化したとしても、当該図柄が表す内容（文字の内容）は表示されている際には常に判断可能な態様とすることが望ましい）、当該主図柄１１により、遊技者は各識別図柄１０を容易に区別することが可能になる。基本的には、遊技者は、当該主図柄１１をみて、当否判定結果がどのようなものとなったか等を把握する。
【００２１】
大当たりに当選した場合には大当たり遊技が実行される。大当たり遊技は、大入賞口９０６が頻繁に開放状態となり、遊技者が多くの遊技球（いわゆる出玉）を獲得することができるものであって、公知の遊技機と同様であるため詳細な説明を省略する。
【００２２】
○ステップアップ演出
本実施形態にかかる遊技機１は、ステップアップ演出２０を実行することが可能である。ステップアップ演出２０は、対象当否判定結果を報知する演出の少なくとも一部として実行されるものであって、所定の演出要素が段階的にステップアップしていくものである。本実施形態におけるステップアップ演出２０は、複数種のキャラクタが段階的に表示されていくものである。つまり、複数種のキャラクタそれぞれが表示される可能性があり、一つのキャラクタが表示されることが一つの要素演出の発生ということになる。ステップアップ演出２０は、当該要素演出が一または複数回発生する可能性がある（全く発生せずに終了することもある）。キャラクタの種類の数はどのようなものであってもよいが、本実施形態では、上述した付随図柄１２に対応するキャラクタＡ〜Ｆ（キャラクタＧを除く）の六種類が設定されている。図３に示すように、一種類のキャラクタが表示される毎に一段階ステップアップするという概念の演出である。最終的に当該段階が何段階までステップアップしたかによって、対象当否判定結果が大当たりとなる蓋然性が示唆される。本実施形態では、ステップアップした段階が高いほど、当該蓋然性が高くなるように設定されている。
【００２３】
各キャラクタが表示される前の段階（図３（ａ）参照）では、各キャラクタが表示される位置を示すシルエットが表示されている。いずれかのキャラクタが表示されることが決定された場合、対応するシルエットの位置に当該キャラクタが明瞭に表示される（図３（ｂ）（ｃ）参照）。遊技者は、シルエットの数（本実施形態では、ステップアップが全く発生していない状態では、六種類のキャラクタに対応する六種類のシルエットが表示されている）により、ステップアップの段階が何段階まで存在するのかを把握することができる。そして、ステップアップの途中段階では、表示されたキャラクタの数により、ステップアップが何段階まで進行したのかを把握することが可能である。なお、シルエットの態様はどのようなものであってもよい。各キャラクタが表示された状態とシルエットの状態が明瞭に判別することができればよい。つまり、ステップアップが発生した状態と、ステップアップが発生していない状態を明確に区別することができさえすればよい。以下の説明では、各キャラクタがシルエットで表示された状態を第一態様２１と、明瞭に表示された状態を第二態様２２と称することもある。なお、第二態様２２として表示されるあるキャラクタの画像と、それに対応する付随図柄１２として表示されるキャラクタの画像は全く同じでなくてもよい。遊技者が同じキャラクタであることを同一視できればよい。
【００２４】
本実施形態では、ステップアップが全く発生していない状態において、キャラクタＧに相当する画像が第一態様２１にある各キャラクタ（各キャラクタのシルエット）とともに表示される（図３（ａ）等参照）。つまり、ステップアップが全く発生していない状態から、キャラクタＧは第二態様２２に相当する画像（以下、基本画像２２ａと称することもある）で第一態様２１にある各キャラクタとともに表示されている。本実施形態では、基本画像２２ａは、第一態様２１にある各キャラクタに挟まれるようにして中央に表示される。つまり、基本画像２２ａの一方側に第一態様２１にある一または複数種のキャラクタが表示され、他方側にも第一態様２１にある一または複数種のキャラクタが表示される。このような基本画像２２ａが表示されていることにより、遊技者は、キャラクタが段階的に表示されていく演出が発生するのではないかということを把握することが可能となる。
【００２５】
このように、ステップアップ演出２０では、所定の演出要素が段階的に変化していく。本実施形態では、当該所定の演出要素として、第一態様２１から第二態様２２に変化する可能性がある六種類のキャラクタが設定されているため、最大のステップアップの段階は六段階である。
【００２６】
○連続演出
本実施形態にかかる遊技機１は、擬似連続演出３０を実行することが可能である。擬似連続演出３０は、変動する識別図柄１０（群）を擬似停止させた後、再び変動を開始する単位演出を一または複数回繰り返す演出である。なお、擬似停止の態様とは、識別図柄１０が完全に停止していないが、遊技者には停止しているように見える態様をいう。例えば、識別図柄１０がわずかに揺れているような状態とすることで、擬似停止の態様が構築される。対象の当否判定結果を報知する際に、識別図柄１０を完全に「停止」させることになるところ、停止したかのようにみせる演出として「擬似停止」が用いられる。
【００２７】
擬似連続演出３０は、基本的には、当該単位演出の発生回数によって当否判定結果が示唆されるものである。本実施形態では、単位演出の発生回数が多くなればなるほど、当否判定結果が大当たりとなる蓋然性（以下、信頼度と称することもある）が高まるように設定されている。本実施形態では、かかる「単位演出の発生回数」による示唆とは別に、「確定図柄１０ａの擬似停止順」により信頼度が示唆される。ここでいう確定図柄１０ａは、単位演出が発生することを示す識別図柄１０である。単位演出が発生する際、三つの識別図柄１０群のそれぞれから選択された識別図柄１０が所定の組み合わせで擬似停止することになるが、当該所定の組み合わせとして、確定図柄１０ａを含む組み合わせが設定されている。本実施形態では、確定図柄１０ａとして「７」の主図柄１１（キャラクタＧの付随図柄１２）を含む識別図柄１０が設定されている（図２（ａ）参照）。
【００２８】
本実施形態では、単位演出が発生する組み合わせとして、二番目に擬似停止する識別図柄１０群から選択された識別図柄１０が確定図柄１０ａであるもの（図４（ｂ）参照）または三番目（最後）に擬似停止する識別図柄１０群から選択された識別図柄１０が確定図柄１０ａであるもの（図４（ｄ）参照）が設定されている。つまり、一番目に擬似停止する識別図柄１０群を除いた識別図柄１０群から選択されたものに確定図柄１０ａが含まれているか否かが基準となる。一番目に擬似停止する識別図柄１０が確定図柄１０ａである態様も、単位演出が発生する示唆として設定されていてもよい。本実施形態では、基本的には、左の識別図柄１０群→右の識別図柄１０群→中の識別図柄１０群の順で停止していくことになるため、（停止順が変化するような特殊な演出が発生した場合を除き）中の識別図柄１０群または右の識別図柄１０群から選択されて擬似停止した識別図柄１０が確定図柄１０ａである場合に単位演出が発生することになる。
【００２９】
そして、本実施形態では、二番目に擬似停止する識別図柄１０群から選択された識別図柄１０が確定図柄１０ａである場合（以下、第二擬似停止態様と称することもある）（図４（ａ）（ｂ）参照）よりも、三番目に擬似停止する識別図柄１０群から選択された識別図柄１０が確定図柄１０ａである場合（以下、第三擬似停止態様と称することもある）（図４（ａ）（ｃ）（ｄ）参照）の方が、大当たりとなる蓋然性が高くなるように設定されている。その理由は、本実施形態における擬似連続演出３０が、上述したステップアップ演出２０と絡めた演出となっているからである。当該両演出の関係性については後述するが、擬似連続演出３０とステップアップ演出２０をそれぞれ独立した演出とすることを否定するものではない。
【００３０】
このように、本実施形態にかかる擬似連続演出３０（示唆演出）によれば、確定図柄１０ａが擬似停止するか否かということだけでなく、確定図柄１０ａが停止する順番にも遊技者が注目することになるから、趣向性の高い演出とすることが可能である。
【００３１】
また、本実施形態では、他の識別図柄１０との関係における確定図柄１０ａの擬似停止順が遅いほど、当否判定結果が大当たりとなる蓋然性が高くなるように設定されている。なお、本実施形態では、確定図柄１０ａの擬似停止順のパターンは二つのみ（第二擬似停止態様と第三擬似停止態様のみ）であるが、三つ以上のパターンが設定された場合であっても、このように設定するとよい。確定図柄１０ａが早く確定図柄１０ａが擬似停止すると、早くに単位演出（連続演出）の発生が確定するという点において喜ばしい状況といえる。したがって、遊技者は早く確定図柄１０ａが擬似停止することを願う。しかし、本実施形態のような構成とすれば、早く確定図柄１０ａが擬似停止すると、単位演出が発生することが確定するという側面においては喜ばしい状況であるものの、確定図柄１０ａの擬似停止順による当否判定結果が大当たりとなる示唆としてはあまり好ましくない状況であるといえる。このような相反する状況が生じうるものであるため、演出の内容が面白みのあるものとすることが可能である。
【００３２】
○ステップアップ演出と連続演出の関係
以下、ステップアップ演出２０と擬似連続演出３０の関係について、一部上記説明と重複するが説明する。
【００３３】
本実施形態では、擬似連続演出３０を構成する単位演出が発生した場合、それによりステップアップ演出２０における演出要素が必ず一段階以上ステップアップするように設定されている。詳細を後述するように、第二擬似停止態様が発生した場合には一段階のステップアップが、第三擬似停止態様が発生した場合には二段階のステップアップが発生する。以下、このように単位演出とステップアップがセットとなって発生する演出を複合演出と称することもある。
【００３４】
また、本実施形態では、ステップアップ演出２０における演出要素は、単位演出の発生時以外にも発生することがある。つまり、単位演出を経ずに、演出要素がステップアップすることがある。例えば、図３に示したように、全ての図柄が変動している最中に演出要素がステップアップすることもある。以下、このように単位演出を経ずに演出要素がステップアップする演出を単独演出と称することもある。
【００３５】
このように設定されているため、対象当否判定結果を報知するに際し発生するステップアップの発生回数は、必ず単位演出の発生回数以上となる。例えば、単独演出が全く発生しなかった場合であって、単位演出発生時のステップアップが一段階である場合には「ステップアップの発生回数＝単位演出の発生回数」となる。また、例えば単独演出が発生した場合であって、単位演出発生時のステップアップが一段階である場合には「ステップアップの発生回数＝単位演出の発生回数＋単独演出の発生回数」となる。
【００３６】
このように、本実施形態にかかる遊技機１によれば、演出要素のステップアップが、単位演出の発生によって必ず発生するため、連続演出とステップアップの発生回数がリンクした趣向性の高い遊技性を実現することが可能である。より具体的には、擬似連続演出３０は単位演出の発生回数によって、ステップアップ演出２０はステップアップの発生回数によって対象当否判定結果が大当たりとなる蓋然性を示唆するというものであり、特定の演出の発生回数が増加すればするほど、遊技者にとって喜ばしい状況となるという点において共通するものである。両者がこのような関係性にあることを利用し、一方（単位演出）が発生した場合に必ず他方（ステップアップ）が発生するという関係にすることで、一方（単位演出）が発生した場合に遊技者が二重の喜びを得ることができるようにしている。また、一方（単位演出）が発生しない場合であっても他方（ステップアップ）が発生する可能性があるようにすることで、両者の独立性（基本的には別々の演出であるということ）が担保されている。ゆえに、一方の進行があまり芳しくない状況であっても、他方が進行するといった状況が生じ得るため、大当たりに期待がもてない変動が多くなり、遊技者が興醒めしてしまうおそれを低減することが可能である。
【００３７】
また、本実施形態における擬似連続演出３０は、確定図柄１０ａが二番目に擬似停止する第二擬似停止態様が発生した場合よりも、確定図柄１０ａが三番目に擬似停止する第三擬似停止態様が発生した場合の方が、当否判定結果が大当たりとなる蓋然性が高まるものである。その理由は、第二擬似停止態様の結果として一段階のステップアップが発生するように設定されている（図５参照）のに対し、第三擬似停止態様の結果として二段階のステップアップが発生する（図６参照）ように設定されているからである。ステップアップ演出２０は、最終的なステップアップの段階が高くなればなるほど当否判定結果が大当たりとなる蓋然性が高まるものであるところ、第二擬似停止態様が発生した場合よりも第三擬似停止態様が発生した場合の方が、発生するステップアップの段階が高くなるように設定されているのであるから、第三擬似停止態様の方がステップアップ演出２０に与える影響は遊技者にとってより好ましいものであるといえる。つまり、本実施形態における連続演出において確定図柄１０ａが擬似停止する順番は、ステップアップ演出２０を介して、間接的に信頼度を示唆しているものである。
【００３８】
第二擬似停止態様（図５参照）が発生する場合、確定図柄１０ａが擬似停止する前に、既に一つの識別図柄１０が擬似停止していることになる（図５（ａ）〜（ｃ）参照）。また、第三擬似停止態様が発生する場合（図６参照）、確定図柄１０ａが擬似停止する前に、既に二つの図柄が擬似停止していることになる（図６（ａ）〜（ｄ）参照）。したがって、本実施形態では、確定図柄１０ａが擬似停止する前に、既に擬似停止している識別図柄１０（以下、対象図柄１４と称することもある。対象図柄１４となり得る図柄は、図２（ａ）に示す通りである）の数と、ステップアップ演出２０においてステップアップする段階の数を一致させているということである。
【００３９】
そして、本実施形態では、対象図柄１４と、ステップアップするキャラクタをリンクさせている。上述したように、ステップアップ演出２０において、ステップアップするキャラクタはキャラクタＡ〜Ｆである。つまり、確定図柄１０ａ以外の識別図柄１０が有する付随図柄１２のキャラクタに対応するものである。第二擬似停止態様が発生する場合、確定図柄１０ａが擬似停止する前に既に一つの対象図柄１４が擬似停止している（図５（ａ）〜（ｃ）参照）。当該一つの対象図柄１４が有する付随図柄１２に対応するキャラクタを、第一態様２１から第二態様２２に変化させる（図５（ｄ）〜（ｆ）参照）。つまり、一つのキャラクタに対応する演出要素がステップアップする。なお、第二擬似停止態様が発生する場合、中の識別図柄１０群の変動を擬似停止させるか否かは適宜設定可能である。つまり、中の識別図柄１０群の変動を擬似停止させた後、再び三つの識別図柄１０群の変動を開始させるようにしてもよいし、既に確定図柄１０ａの擬似停止によって単位演出が発生することは示されたのであるから、中の識別図柄１０群の変動を擬似停止させずに再び三つの識別図柄１０群の変動を開始させるようにしてもよい。
【００４０】
第三擬似停止態様が発生する場合、確定図柄１０ａが擬似停止する前に既に二つの対象図柄１４が擬似停止している（図６（ａ）〜（ｄ）参照）。当該二つの対象図柄１４のそれぞれが有する付随図柄１２に対応するキャラクタを、第一態様２１から第二態様２２に変化させる（図６（ｅ）〜（ｇ）参照）。つまり、二つのキャラクタに対応する演出要素がステップアップする。このように、本実施形態では、確定図柄１０ａが擬似停止する前に既に停止している対象図柄１４が有する付随図柄１２に対応させるようにしてステップアップが進行する。
【００４１】
本実施形態では、対象図柄１４がステップアップ対象となる演出要素に対応するものであることを分かりやすくするため、対象図柄１４の付随図柄１２は基本態様１２１から特殊態様１２２とされる（図５（ｄ）、図６（ｅ）参照）。つまり、特殊態様１２２となった対象図柄１４のキャラクタが、ステップアップするキャラクタ（第二態様２２とされるキャラクタ）であることを分かりやすくする。基本態様１２１から特殊態様１２２とするタイミングおよび特殊態様１２２を維持する期間は適宜設定することができる。また、ステップアップが発生する際に、特殊態様１２２とされたキャラクタのみを表示し、ステップアップの対象がより分かりやすくなるようにしてもよい（図５（ｅ）、図６（ｆ）参照）。
【００４２】
確定図柄１０ａとして設定された識別図柄１０は、付随図柄１２としてキャラクタＧが対応づけられたものであるが、当該キャラクタＧは、上述した基本画像２２ａの状態でステップアップ演出２０の開始時（ステップアップが全く発生していない状態）から表示されているものである（図３（ａ）参照）。そのため、キャラクタＧがステップアップの対象となる演出要素となることはない。つまり、本実施形態では、ステップアップの対象とならない演出要素に対応する識別図柄１０を、単位演出（擬似連続演出３０）が発生することを示す確定図柄１０ａとした上で、それ以外の識別図柄１０をステップアップの対象となる演出要素のそれぞれに対応するものとしている。そして、確定図柄１０ａよりも前に擬似停止した識別図柄１０（対象図柄１４）を、ステップアップの対象となるように対応づけることで、擬似連続演出３０とステップアップ演出２０がリンクした構成としている。また、ステップアップの対象とならない演出要素に対応する識別図柄１０（確定図柄１０ａ）は、基本画像２２ａとして表示することで、ステップアップ演出２０の進行を分かりやすくするための要素として機能させている。
【００４３】
このように、本実施形態では、擬似連続演出３０の一部である示唆演出（「確定図柄１０ａの擬似停止順」によって信頼度が示唆される演出）と、所定の演出要素が段階的にステップアップするステップアップ演出２０と組み合わされた複合演出が実行される。このように、擬似連続演出３０（示唆演出）をステップアップ演出２０と絡めたものとすることで、演出の分かりやすさ、趣向性を向上させることが可能である。
【００４４】
また、確定図柄１０ａが擬似停止した際、既に停止または擬似停止している他の識別図柄１０（対象図柄１４）の数と、演出要素がステップアップする段階の数が一致するように設定されており、確定図柄１０ａの停止順と、ステップアップの段階の数とがリンクするため、両演出の関係性を分かりやすくすることが可能である。
【００４５】
さらには、確定図柄１０ａが擬似停止した際、既に擬似停止している他の識別図柄１０（対象図柄１４）が有する付随図柄１２に対応するキャラクタが第一態様２１から第二態様２２に変化するため、ステップアップの対象となるキャラクタと、識別図柄１０が有する付随図柄１２として設定されたキャラクタがリンクする分かりやすい演出とすることが可能である。
【００４６】
また、本ステップアップが発生したことを示す第二態様２２のキャラクタ画像が表示される際、それに対応する付随図柄１２が事前に他の付随図柄１２に比して目立つ状態にされる（本実施形態では特殊態様１２２とされる）という、ステップアップ演出２０と付随図柄１２を有する識別図柄１０がリンクした趣向性の高い演出を実行することが可能である。また、目立つ状態とされる付随図柄１２により、表示される第二態様２２のキャラクタ画像がどのようなものであるかを分かりやすくすることが可能である。
【００４７】
以下、上記実施形態を具体化、変形、改良等した例（具体例）について説明する。以下で説明する具体例を組み合わせて適用した構成としてもよい。
【００４８】
・第一具体例
本例は、いわゆる先読み演出によって、ステップアップが発生することが予告されるように設定されたものである。先読み演出それ自体は公知であるため詳細な説明を省略するが、先読み演出は、対象当否判定結果を報知するに際し、当該対象当否判定結果が大当たりとなる蓋然性が高まったことを、それよりも前に報知が完了する一または複数の当否判定結果（以下、先の当否判定結果と称することもある）を報知するための演出を利用して示唆するものである。
【００４９】
先読み演出によるステップアップの予告の具体的な態様はどのようなものであってもよい。本実施形態では、一または複数の先の当否判定結果を報知する演出中に発生する特定先読み演出４０（右隅に演出画像４１が表示される）によって、ステップアップが発生するかどうかが予告される（図７（ａ）参照）。特定先読み演出４０の結末が成功結末４１１（図７（ｂ）参照）となった場合にステップアップが発生することが確定する。一方、成功結末４１１とならなかった場合（図示されない失敗結末となった場合）にはステップアップが発生することは確定しない。このような特定先読み演出４０が一種のみ設定された構成としてもよいし、複数種設定された構成としてもよい。
【００５０】
本例では、特定先読み演出４０の結末が成功結末４１１となった場合、対象当否判定結果を報知する演出において、必ず一段階のステップアップが発生することが確定する（図７（ｄ）参照）。なお、当該特定先読み演出４０によって予告されたステップアップは、単位演出とともに発生するステップアップではない。また、二段階以上のステップアップが特定先読み演出４０によって予告されることがあるような設定としてもよい。また、本例では、ステップアップの発生が確定していることを示すため、対象当否判定結果を報知する演出の開始後、実際にステップアップが発生するまで、ステップアップの発生が確定していることを示す予告画像４２が表示される（図７（ｃ）参照）。
【００５１】
なお、本例に変更を加え、先読み演出として実際にステップアップが発生することがあるようにしてもよい。つまり、先の当否判定結果を報知する演出中に、対象当否判定結果を報知する演出においてステップアップが発生することが「予告」されるのではなく、一または複数の先の当否判定結果を報知する演出中に、実際にステップアップが発生することがあるように設定してもよい。当該先の当否判定結果を報知する演出において発生したステップアップは、対象当否判定結果を報知する演出まで引き継がれる。つまり、対象当否判定結果を報知する演出の開始時点において、一または複数段階のステップアップが進行している場合がある構成とする。
【００５２】
このように、いわゆる先読み演出によってステップアップの発生が予告されたり、ステップアップが発生したりする場合があるようにすることで、バリエーションに富んだ遊技性を実現することが可能となる。
【００５３】
・第二具体例
第一具体例のように、いわゆる先読み演出によって、ステップアップが発生することが予告されることがある構成とする場合、以下のように制御するとよい。
【００５４】
本例では、対象当否判定結果を報知する演出において、ステップアップが発生する可能性があるタイミング（以下、当該タイミングを特定タイミングと称することもある）は少なくとも六か所設定される。つまり、最大のステップアップの段階の数以上の特定タイミングが設定される。本例では、図８に示すように、対象当否判定結果を報知する演出の開始時（対象当否判定結果を報知する識別図柄１０の変動開始時。以下単に変動開始時（点）と称することもある）から所定時点までの間に六ヶ所の特定タイミングＴ１〜Ｔ６が設定されている。なお、当該所定時点は適宜設定することができる。対象当否判定結果の報知が完了する時点であってもよいし、いわゆるリーチ状態が成立する時点であってもよい。つまり、変動開始時点から所定時点までが、ステップアップが発生する可能性がある期間として設定された期間ということになる。また、特定タイミングＴ１〜Ｔ６は、固定されていてもよいし、変動毎に変化しうるものであってもよい。いわゆる保留によって変動時間が変化する設定である場合には、特定タイミングＴ１〜Ｔ６が変動毎に変化しうるものとすればよい。
【００５５】
上記実施形態において説明したように、単位演出発生時には必ずステップアップが発生することになるから、単位演出が発生する可能性がある時点も特定タイミングとして設定されている（本例では、特定タイミングＴ２およびＴ４）。そして、基本的には、対象当否判定結果を報知する演出の開始時（対象当否判定結果を報知する識別図柄１０の変動開始時。以下単に変動開始時と称することもある）に、当否判定結果を踏まえ、ステップアップが最終的に何段階まで進行するか（ステップアップの段階数）ということと、各ステップアップがどの特定タイミングにおいて発生するかということを抽選により決定する。このように、変動開始時に「ステップアップの段階数」および「各ステップアップの発生タイミング」を抽選するのは、単位演出の発生とステップアップの発生がリンクしているからである。上述したように、単位演出は、識別図柄１０を利用した演出であるため、当該識別図柄１０が変動を開始する前、すなわち変動開始時までに、「ステップアップの段階数」および「各ステップアップの発生タイミング」を抽選する。なお、各抽選は、当否判定結果の当否によって異なる（当否に応じた異なる抽選テーブルが設けられている）。
【００５６】
図９に示す当該抽選（制御）は、特定先読み演出４０により、ステップアップの発生が予告されている場合と予告されていない場合とで異なる。特定先読み演出４０によりステップアップの発生が予告されている（特定先読み演出４０によって一または複数段階のステップアップが確定している）場合（Ｓ１「Ｙｅｓ」）、予告されたステップアップを加味して、「ステップアップの段階数」（Ｓ２）および「各ステップアップの発生タイミング」（Ｓ３）を抽選する。つまり、対象当否判定結果を踏まえ、最終的なステップアップの段階数Ｎｔを決定することになるが、特定先読み演出４０によってＮａ段階のステップアップの発生が予告されている場合には、かかる分を除いたステップアップの段階数、すなわちＮｔ−Ｎａ段階分に関し、上記特定タイミングのうちから発生タイミングを決定する。また、本例におけるステップアップ演出２０は、各キャラクタＡ〜Ｆが第一態様２１から第二態様２２に変化することがステップアップとして設定されているため、キャラクタがステップアップする順も併せて抽選により決定される（Ｓ４）。
【００５７】
特定先読み演出４０によりステップアップの発生が予告されていない場合（Ｓ１「Ｎｏ」）の場合には、そのまま（先読み分を加味せずに）「ステップアップの段階数」（Ｓ５）および「各ステップアップの発生タイミング」（Ｓ６）、「ステップアップする順」（Ｓ７）を抽選する。
【００５８】
Ｓ２〜４、またはＳ５〜７における抽選によって決定されたステップアップの具体的態様は、表示装置９１を制御する手段等に送信され（Ｓ８）、それに基づき演出が進行することになる。
【００５９】
ここで、特定先読み演出４０によって予告されたステップアップは、複数の特定タイミングのうちの最初（一番目）の特定タイミングＴ１（図８参照）において発生するように設定されている。本例では、先読みによって予告されているステップアップの段階が複数である場合には、最初の特定タイミングにおいて一気に複数段階のステップアップが発生するようにしている。したがって、上記Ｓ３の抽選は、特定タイミングＴ１を除いた抽選態様となる。
【００６０】
ただし、先読みによって予告されているステップアップの段階が複数である場合には、最初（一番目）の特定タイミングＴ１、二番目の特定タイミングＴ２・・・といったように、最初の特定タイミングから順に、予告された分の複数のステップアップが発生するようにしてもよい。
【００６１】
このように、特定先読み演出４０によって演出要素のステップアップが発生することが予告された場合、ステップアップが発生する可能性がある特定タイミングのうちのいずれかを、先読みによって確定している分にあてる。そして、それを加味して、変動開始時までに、「ステップアップの段階数」および「各ステップアップの発生タイミング」を抽選により決定する。このようにすることで、ある当否判定結果を報知する演出が開始される際に、ステップアップが発生する回数およびそのタイミングを決定する制御が複雑化するのを抑制することが可能である。
【００６２】
また、特定先読み演出４０によって演出要素のステップアップが発生することが予告された場合、当該先読みによって予告されているステップアップが、最初の特定タイミングにおいて発生するようにすることで、ある当否判定結果を報知する演出が開始される際に、ステップアップが発生する回数およびそのタイミングを決定する制御が複雑化するのを抑制することが可能であるだけでなく、先読みによって予告されたステップアップが最初に発生するから、先読みとステップアップの関係を分かりやすくすることが可能である。
【００６３】
・第三具体例
第一具体例のように、特定先読み演出４０によって、ステップアップが発生することが予告されることがある構成とする場合、当該特定先読み演出４０は、「先読み」であるのであるから、基本的には、一または複数の先の当否判定結果を報知する演出中に発生する。ただし、本例では、特定先読み演出４０が、対象当否判定結果を報知する演出中にも実行されることがある（図１０参照）。つまり、対象当否判定情報に対応する当否判定結果を報知する演出の開始（対象当否判定結果を報知するための識別図柄１０が変動を開始する時点（図１１（ａ）においてＸ１で示す時点）；以下、対象変動開始時点Ｘ１と称することもある）前から開始後にかけて継続的に実行される（図１０（ａ）〜図１０（ｃ）参照）。
【００６４】
上述したように、特定先読み演出４０の結果が成功結末４１１（遊技者に有利な結末）となった場合（図１０（ｃ）参照）、その後のステップアップ演出２０において、演出要素が一または複数段階ステップアップする（図１０（ｄ）参照）こと、すなわち本例では一または複数種のキャラクタが表示されることが予告される。ステップアップの発生は信頼度が高まるということであるため、特定先読み演出４０の結末が間接的に信頼度を示唆しているともいえる。
【００６５】
このような特定先読み演出４０は、対象当否判定結果を報知する演出が開始される時点の後の所定時点（図１１（ａ）においてＸ２で示す時点；以下、当該時点を基準時点Ｘ２と称することもある）まで完了することが求められる。
【００６６】
本例では、基準時点Ｘ２は、対象当否判定結果を報知する演出中に実行されるステップアップ演出２０の開始時点に設定される。なお、基準時点Ｘ２は、対象変動開始時点Ｘ１から一定時間後であってもよいし、対象変動開始時点Ｘ１からの時間が状況に応じて変化するものであってもよい。つまり、ステップアップ演出２０の開始時点が、対象変動開始時点Ｘ１から一定時間後に設定されている場合には、基準時点Ｘ２は対象変動開始時点Ｘ１から一定時間後となる。一方、ステップアップ演出２０の開始時点が、保留情報の数等のそのときの状況に応じて種々変化する場合には、基準時点Ｘ２は対象変動開始時点Ｘ１からの時間が種々変化することになる。
【００６７】
特定先読み演出４０を実行するか否か、実行する場合にはその種類を決定するときには、上記基準時点Ｘ２までに特定先読み演出４０が完了するか否かを判断して、特定先読み演出４０の実行の可否を決定する。例えば、特定先読み演出４０となりうる複数種の先読み演出が設定されており、その演出完了時間までの長さが異なる場合、上記基準時点Ｘ２まで完了しない演出は選択対象から除かれる。
【００６８】
このように、対象変動開始時点Ｘ１後に、特定先読み演出４０の実行の可否を決定するための基準時点Ｘ２が設定されていれば、特定先読み演出４０を含めた演出の制御を容易にすることが可能である。そして、上記基準時点Ｘ２をステップアップ演出２０の開始時点とすることで、特定先読み演出４０とステップアップ演出２０を組み合わせた継続性のある演出の制御を容易にすることが可能である。
【００６９】
また、特定先読み演出４０の完了時点が、上記基準時点Ｘ２の到達とほぼ同時となるように制御してもよい。つまり、特定先読み演出４０からステップアップ演出２０に至る一連の演出の流れをスムーズにするため、「間」が発生しないようにしてもよい。例えば、特定先読み演出４０の開始時点を、当該特定先読み演出４０が基準時点Ｘ２の到達と同時に完了するよう設定する。また、例えば、結果表示をそのまま表示し続ける等して特定先読み演出４０の時間を長くし、当該特定先読み演出４０が基準時点Ｘ２まで継続するよう調整する。
【００７０】
また、本例では、特定先読み演出４０の結果は、対象変動開始時点Ｘ１よりも後に設定される（図１０（ｃ）参照）。より具体的には、結果表示は、対象変動開始時点Ｘ１よりも後、かつ上記基準時点Ｘ２よりも前に表示される（図１１（ａ）に示す期間Ｗ中に表示される）。このように、特定先読み演出４０の帰趨（遊技者に有利な結末となったか否か）を示す結果表示が、対象変動開始時点Ｘ１後に表示されるようにすることで、特定先読み演出４０に対する遊技者の興味を、対象当否判定結果を報知する演出が開始されるまで継続させることが可能である。
【００７１】
また、上述したように、本例における特定先読み演出４０は、先の当否判定結果を報知する演出から対象当否判定結果を報知する演出にかけて実行されることになるが、特定先読み演出４０を実行する時間配分は、先の当否判定結果を報知する演出中の時間Ｔ１の方が、対象当否判定結果を報知する演出中の時間Ｔ２よりも長く設定される（Ｔ１、Ｔ２については図１１（ｂ）参照。なおＴ２は、図１１（ａ）においてＷで示した範囲と同じである）。つまり、Ｔ１＞Ｔ２である。この逆、すなわちＴ１＜Ｔ２であると、「先読み」としての機能が暈けてしまうからである。つまり、本例にかかる特定先読み演出４０は、一部が対象当否判定結果を報知する演出中に実行されるものであるとはいえ、基本的には対象当否判定結果が当たりとなる信頼度を「事前に」示唆するものであるため、先の当否判定結果を報知する演出中の時間Ｔ１の方が長くなるようにする。なお、Ｔ１やＴ２の長さは常に一定である必要はない。Ｔ１＞Ｔ２の関係を満たしていれば、Ｔ１およびＴ２それぞれの長さは変化してもよい。
【００７２】
なお、特定先読み演出４０以外の先読み演出が実行可能であってもよい。つまり、一または複数の先の当否判定結果を報知する演出中に完了する通常の先読み演出（従来型の先読み演出）が発生することがあってもよい。例えば、一連の演出の内容や演出の長さは同じであるものの、その開始時点を制御することで、当該演出は特定先読み演出４０としての機能しうるし、通常の先読み演出としても機能しうることになる。また、全ての先読み演出が、特定先読み演出４０である構成としてもよい。
【００７３】
このように、本例では、特定先読み演出４０は対象当否判定結果を報知する演出の開始前から当該対象当否判定演出の開始後にかけて実行される。つまり、対象当否判定結果を報知する演出の開始時点を跨いで継続的に実行される。したがって、先読み演出を実行することが可能な時間が長く、バリエーションに富んだ演出を実行することが可能となる。
【００７４】
また、特定先読み演出４０は、対象当否判定結果を報知する演出の開始後にも実行されるため、当該対象当否判定結果を報知する演出の一部として実行されるステップアップ演出２０が、特定先読み演出４０から継続的に実行されるものとすることが可能である。つまり、特定先読み演出４０とステップアップ演出２０を組み合わせた継続性のある趣向性の高い演出を実行することが可能である。
【００７５】
・第四具体例
本例は、識別図柄１０として、擬似連続演出３０（単位演出）の発生を確定させる確定図柄１０ａだけでなくと、擬似連続演出３０（単位演出）の発生を示唆する示唆図柄１０ｂが設定された構成である。本例では、主図柄１１が「７」の識別図柄１０（付随図柄１２がキャラクタＧ）が確定図柄１０ａとして、主図柄１１が「３」の識別図柄１０（付随図柄１２がキャラクタＣ）が示唆図柄１０ｂとして設定されている。図１２に示すように、右の識別図柄１０群から選択されて確定図柄１０ａが擬似停止した場合（図１２（ｂ）参照）には、単位演出が発生することが確定する。つまり、右に確定図柄１０ａが擬似停止した識別図柄１０の組み合わせが、単位演出が発生することを示す所定の組み合わせとして設定されている。そして、右に確定図柄１０ａが擬似停止した場合、単位演出が発生することを示す確定演出６０が実行される（図１２（ｃ）参照）。確定演出６０それ自体の具体的な態様はどのようなものであってもよいが、確定図柄１０ａの付随図柄１２として設定されているキャラクタＧは、示唆図柄１０ｂの付随図柄１２として設定されているキャラクタＣと同種のキャラクタである特定キャラクタ８０を用いた演出であることが望ましい。確定図柄１０ａの付随図柄１２から飛び出すようにして特定キャラクタ８０が表示され、当該特定キャラクタ８０が所定の動作を行う演出が確定演出６０として実行される。
【００７６】
その後、確定図柄１０ａよりも前に擬似停止していた識別図柄１０（対象図柄１４）に対応するステップアップが実行され（図１２（ｄ）参照）、識別図柄１０群が再変動する（図１２（ｅ）参照）。
【００７７】
一方、図１３および図１４に示すように、右の識別図柄１０群から選択されて示唆図柄１０ｂが擬似停止する（図１３（ｂ）参照）ことで、単位演出が発生する蓋然性が高いことが示される。つまり、右に示唆図柄１０ｂが擬似停止した場合には、通常の識別図柄１０（確定図柄１０ａおよび示唆図柄１０ｂ以外の識別図柄１０）が擬似停止した場合に比して、その後単位演出が発生する蓋然性が高くなるように設定されている。このように、示唆図柄１０ｂは、単位演出の発生を予告する図柄として機能する。
【００７８】
対象識別図柄群から選択されて示唆図柄１０ｂが擬似停止した場合、分岐演出６１が開始される（図１３（ｃ）参照）。分岐演出６１は、その結末によって、単位演出が発生するか否かを示すものである。分岐演出６１それ自体の具体的な内容はどのようなものであってもよいが、示唆図柄１０ｂの付随図柄１２として設定されているキャラクタＣ、すなわち、キャラクタＧと同種のキャラクタである特定キャラクタ８０を用いた演出であることが望ましい。
【００７９】
分岐演出６１の結末としては、少なくとも、単位演出が発生することを示す結末（以下、成功結末６１１と称する）と、単位演出が発生しないことを示す結末（以下、失敗結末６１２）とが設定されている。分岐演出６１は、示唆図柄１０ｂの付随図柄１２から飛び出すようにしてキャラクタＣ（特定キャラクタ８０）が表示され、当該キャラクタＣが所定の動作を行う演出である。そして、成功結末６１１の態様は、上記確定演出６０の態様と同じである（図１４（ａ）参照）。つまり、確定演出６０は、単位演出が発生することを示す演出として設定されているため、分岐演出６１における成功結末６１１の態様を確定演出６０の態様と同じとすることで、単位演出の発生を分かりやすくしている。単位演出が発生する場合は、確定図柄１０ａが擬似停止する場合、示唆図柄１０ｂが擬似停止する場合のいずれの場合であっても、同じ態様の演出（確定演出６０でもあり、分岐演出６１の成功結末６１１でもある演出）が実行されることになる。なお、このようにすることができるのは、分岐演出６１および確定演出６０が特定キャラクタ８０を用いた演出であるからであるともいえる。
【００８０】
成功結末６１１が実行された後、示唆図柄１０ｂよりも前に擬似停止していた識別図柄１０に対応するステップアップが実行され（図１４（ｂ）参照）、識別図柄１０群が再変動する（図１４（ｃ）参照）。
【００８１】
一方、失敗結末６１２（図１５（ａ）参照）の態様はどのようなものであってもよい。成功結末６１１が実行されなかったことにより、遊技者は、単位演出の発生に至らなかったことを認識することが可能である。失敗結末６１２が実行された場合には、識別図柄１０がはずれを示す態様で停止し（図１５（ｂ）参照）、はずれであることが報知される。その後、次の当否判定結果を報知する演出（次の識別図柄１０の変動）が開始される（図１５（ｃ）参照）。
【００８２】
このように、本例では、複数種の識別図柄１０には、単位演出が発生する蓋然性が高いことを示唆する示唆図柄１０ｂが含まれる。つまり、単位演出が発生することが確定図柄１０ａを含む所定の組み合わせによって示されるだけでなく、示唆図柄１０ｂによって単位演出が発生することが予告されるという面白みのある演出（連続演出の予告演出）を実行することが可能である。
【００８３】
また、確定図柄１０ａが有する付随図柄１２のキャラクタＧと、示唆図柄１０ｂが有する付随図柄１２のキャラクタＣは同種のキャラクタ（特定キャラクタ８０）である。したがって、確定図柄１０ａと示唆図柄１０ｂが、ともに擬似連続演出３０に関係する図柄であることを分かりやすくすることが可能である。特に、本例では、キャラクタＣおよびキャラクタＧ以外のキャラクタＡ、Ｂ、Ｄ〜Ｆは、一つ一つが異なるキャラクタである（キャラクタＣおよびキャラクタＧのみが同種のキャラクタである）ため、キャラクタＣおよびキャラクタＧが同種のキャラクタであるということが強調される。
【００８４】
また、本例では、最初または最後に変動が停止または擬似停止する識別図柄１０群以外の識別図柄１０群である対象識別図柄群として、当該対象識別図柄群に含まれる示唆図柄１０ｂを用いて擬似連続演出３０の発生を予告している。そのようにすることの利点は以下の通りである。
【００８５】
最初に停止または擬似停止する識別図柄１０（群）は、当否判定結果を示す基準となるため、それを利用して単位演出が発生する蓋然性が高いことを示すのはあまり好ましくない。また、最後に停止または擬似停止する識別図柄１０（群）は、それにより当否判定結果が確定したように遊技者に見えてしまうため、それを利用して単位演出が発生する蓋然性が高いことを示すのはあまり好ましくない。よって、最初および最後に停止または擬似停止する識別図柄１０（群）を利用して発生する蓋然性が高いことを示すようにすることが好ましい。
【００８６】
・第五具体例
本例は、ステップアップ演出２０において補助画像８１が表示されるようにするものである。以下、当該補助画像８１について、図１６および図１７を参照しつつ説明する。補助画像８１は、基本的にはステップアップの進行の程度を示す画像である。つまり、基本的にはステップアップの段階に応じて補助画像８１の態様が変化していく。したがって、遊技者は、補助画像８１によって、ステップアップの段階がどの程度まで進行したのかを容易に把握することが可能となる。本実施形態における補助画像８１は、いわゆるエフェクトである。
【００８７】
ただし、ステップアップの最初の段階である一段階（一つのキャラクタが第二態様２２になった段階）から、Ｘ段階（Ｘ≧２）までの範囲（以下、特定範囲と称することもある）、すなわちステップアップの始まりの段階を含めた連続する複数の段階においては、対応する補助画像８１が設定されていない。つまり、一段階からＸ段階までは、補助画像８１が表示されない（図１６参照）。なお、本実施形態では、ステップアップ演出２０の開始時、すなわちステップアップが全く発生していない状態（０段階）においても、補助画像８１は表示されない（図１６（ａ）参照）。本実施形態では、Ｘ＝３に設定されている。つまり、第一段階から第三段階（三つのキャラクタが第二態様２２になった段階）までが特定範囲として設定され、当該範囲においては補助画像８１が表示されない（図１６（ｂ）（ｃ）参照）。
【００８８】
そして、特定範囲以降、すなわちＸ＋１段階目以降は、一段階のステップアップが発生する度に、補助画像８１の態様を変化させていく（図１７参照）。本実施形態では、４段階目以降は、一段階のステップアップが発生する度に、補助画像８１の態様を変化させていく。具体的には、４段階目は紫色の画像（図１７（ａ）参照）、５段階目は赤色の画像（図１７（ｂ）参照）、６段階目は虹色の画像（図１７（ｃ）参照）を補助画像８１として表示させていく。なお、補助画像８１の態様が変化する、変化しない、とは、補助画像８１を構成する一または複数の特定の画像構成要素に基づき判断されるものとする（以下、補助画像８１の態様が変化する、変化しないというときにおいて同じ）。本実施形態では、画像の色が異なっていれば補助画像８１の態様が変化したものとし、画像の色が同じであれば補助画像８１の態様が変化しないものとする。つまり、当該「色」以外の要素は、各段階において同じであってもよいし、異なっていてもよい。上記特定の画像構成要素は「色」以外の要素であってもよい。例えば、画像の形態や大きさ、画像の動き等が例示できる。複数の要素を組み合わせたものを特定の画像構成要素として設定してもよい。このように、態様が実質的に同じであると遊技者が判別することができる要素であれば、特定の画像構成要素として設定される要素はどのようなものであってもよい。また、補助画像８１の具体的な態様は種々変更可能である。
【００８９】
このように、ステップアップ演出２０におけるステップアップの進行を示す演出要素の段階が所定の段階にある特定範囲においては、補助画像８１が表示されない。したがって、当該特定範囲においては、演出要素の段階がステップアップすること（本実施形態では、キャラクタが第一態様２１から第二態様２２に変化すること）に対して遊技者が注目することになる。
【００９０】
ステップアップ演出２０に対する注目度合いを高めるためには、演出の始まりの部分（導入部分）が重要となる。つまり、演出の始まりの部分で遊技者の興味を惹くことができなければ、それ以降遊技者が演出に注目する蓋然性が低くなる。本実施形態では、ステップアップ演出２０が開始されてからＸ段階に到達するまで、すなわちステップアップ演出２０の始まりの部分において、補助画像８１が表示されないから、演出要素の段階がステップアップすることに対する遊技者の興味を高めることが可能である。
【００９１】
なお、ステップアップの段階が一段階からＸ段階にある特定範囲において、補助画像８１が表示されるようにしてもよい。ただし、当該特定範囲における補助画像８１の態様は変化しないようにする。例えば、図１８に示すように、特定範囲においては、「青」の補助画像８１が表示されるようにし（図１８（ａ）（ｂ）参照）、それ以降は上述したように、ステップアップする度に補助画像８１の態様が変化していく（図１８（ｃ）参照）構成とする。
【００９２】
このように、特定範囲において補助画像８１は表示されるものの、その態様が変化しない構成とすることによっても、演出要素の段階がステップアップすること（本実施形態では、キャラクタが第一態様２１から第二態様２２に変化すること）に対する遊技者の興味を高めることが可能となる。ただし、特定範囲において全く補助画像８１が表示されないようにすれば、遊技者の視線が補助画像８１にいくということがなくなるため、ステップアップに対する遊技者の興味をより高めることが可能であるといえる。
【００９３】
・第六具体例
本例では、上記ステップアップ演出２０において、演出要素の段階（第一態様２１から第二態様２２となるキャラクタの数）が最終段階（すなわち、本例では六段階）までステップアップする映像であって、映像の内容が固定化された専用映像８２が図示されない記憶手段に記憶されている。ここで、「映像の内容が固定化された」とは、映像の具体的な内容が変化することがないものをいい、映像の長さが一定であるものをいう。つまり、本例における専用映像８２は、ステップアップのタイミングや順番等が固定化され、最終的に六段階までステップアップする内容が収められた映像である（図１９参照）。本例では一種の専用映像８２が記憶手段に記憶されているが、複数種の専用映像８２が記憶されていてもよい。
【００９４】
ステップアップの段階がどの段階まで進行するかは、ステップアップ演出２０を実行する対象の当否判定結果を踏まえて判断され、対象の当否判定結果を報知する演出において自動的にステップアップが進行する。本例では、ステップアップの段階が多いほど、当否判定結果が大当たりとなる蓋然性（信頼度）が高くなるように設定される。したがって、最終段階までステップアップが進行する演出が発生したときの信頼度は、他の段階までステップアップが進行する演出のそれぞれが発生したときの信頼度よりも高く（最も高く）設定されているということである。本例では、最終段階までステップアップが進行した場合、大当たりとなることが確定するように設定されている。また、最終段階までステップアップが進行する演出は、その発生する蓋然性（発生頻度）が、他の段階までステップアップが進行する演出のそれぞれが発生する蓋然性よりも低く設定されている。このように、本例では、信頼度が最も高く、かつ最も発生する蓋然性が低い演出に対応するものとして、専用映像８２が設けられている。
【００９５】
専用映像８２が設けられることの利点は次の通りである。ステップアップ演出２０がどの段階まで進行するかは当否判定結果を踏まえて決定される。当該ステップアップの段階を踏まえた上で、対象の当否判定結果を報知する一連の演出が決定される。つまり、ステップアップするタイミングや、どのような態様でステップアップするかが決定される。従来型の制御手法では、段階数が増加すればするほど、所定の時間内に収まるようにステップアップのタイミング等を決定しなければならないから、その制御負荷は高くなる。
【００９６】
本例では、ステップアップが最終段階まで進行する少なくとも一部において、上記専用映像８２を出力するため、その場合の制御負荷が低い。つまり、従来であればステップアップの段階数が多く、制御負荷が高くなっていたところ、本例では専用映像８２を出力するだけでよいため、制御が容易である。
【００９７】
また、ステップアップが最終段階まで進行する演出が発生する蓋然性（発生頻度）は、他の段階までステップアップが進行する演出のそれぞれが発生する蓋然性よりも低く設定されているため、専用映像８２を出力する機会は少ない。つまり、同じ内容である専用映像８２が出力される頻度が多くなり、遊技者が飽きてしまうおそれは低い。
【００９８】
なお、本例では、ステップアップが最終段階まで進行することが決定された場合、必ず専用映像８２が出力されるようにしているが、専用映像８２が出力されないことがある設定としてもよい。
【００９９】
専用映像８２を出力することが決定された場合であっても、表示装置９１の表示領域９１１に専用映像８２のみが出力されなければならないわけではない。例えば、専用映像８２が出力されている際にも、上述した保留表示５０が表示されるようにする場合には、当該保留表示５０はその都度変化するものであるため、専用映像８２に盛り込むことはできない。したがって、保留表示５０を専用映像８２に重ねるようにして表示する（図１９において保留表示５０は専用映像８２の一部ではないため点線で示している）。また、識別図柄１０の変動や停止（擬似停止等を含む。以下同じ）を専用映像８２に盛り込んだ構成としてもよいし、保留表示５０と同様に専用映像８２に重ねるようにして表示する（識別図柄１０の変動や停止態様等は別途抽選等により決定する）構成としてもよい。なお、上記識別図柄１０が当否判定結果を分かりやすくするための演出上の図柄であるのに対し、当該識別図柄１０とは別の本図柄（正確な当否判定結果や大当たりの種類等を示す図柄）を表示する場合には、当該本図柄は専用映像８２に重ねるようにして表示することになる。このように、経時的に変化しうる表示、正確な情報を遊技者に伝えるための表示といった、遊技の状況等に応じてその都度変化しうる表示は、専用映像８２として盛り込むことができないため、これらを表示する場合には、専用映像８２に重ねるようにして表示する。
【０１００】
なお、最終段階ではない所定の段階までステップアップが進行するものに対応する専用映像８２が設けられていてもよい。また、ある段階までステップアップが進行するものに対応する専用映像８２と、当該ある段階とは異なる別の段階までステップアップが進行するものに対応する別の専用映像８２が設けられた構成、すなわちそれぞれステップアップが進行する段階が異なる複数種の専用映像８２が設けられた構成としてもよい。
【０１０１】
・第七具体例
ステップアップ演出２０において、ステップアップが何段階まで発生するか（要素演出が何回発生するか）ということだけでなく、ステップアップがどのような順番で発生するか（要素演出がどのような順番で発生するか）よって当否判定結果が当たりとなる蓋然性（信頼度）が示唆される構成とする。上述したように、ステップアップ演出２０は、キャラクタＡ〜Ｆが第一態様２１から第二態様２２に変化するステップアップ（要素演出）が一または複数回発生するものである。以下の説明においては、キャラクタＡ〜Ｆそれぞれに対応する要素演出を、要素演出Ａ〜Ｆと称することもある。
【０１０２】
図２０に示すように、要素演出Ｃの次に要素演出Ｆが発生する場合には、信頼度が高まるチャンスアップパターン（Ｃ．Ｐ．）として設定されている。つまり、要素演出Ｃ→要素演出Ｆという特定順番がチャンスアップパターンとして設定されている。要素演出Ｃおよび要素演出Ｆが発生する段階は特定の段階に限定されていてもよいし、限定されていなくてもよい。本例では、特定の段階に限定されていない。つまり、Ｘ（Ｘ≦５）段階目のステップアップとして要素演出Ｃが、Ｘ＋１段階目のステップアップとして要素演出Ｆが発生したものであればよい。
【０１０３】
一方、その逆、すなわち要素演出Ｆの次に要素演出Ｃが発生した場合は、上記のようなチャンスアップパターンとして設定されていない。このように、チャンスアップパターンを構成する複数種の要素演出が、チャンスアップパターンとは異なる順で発生した場合はチャンスアップパターンとして設定されていないことが好ましい。
【０１０４】
これを踏まえ、要素演出Ｃ→要素演出Ｆ→要素演出Ａの順でステップアップが発生した場合（第一演出例）と、要素演出Ｆ→要素演出Ｃ→要素演出Ａの順でステップアップが発生した場合（第二演出例）の信頼度を比較する（図２０に示す表の一段目と二段目を比較する）。なお、要素演出Ｆの次に要素演出Ａが発生すること、要素演出Ｃの次に要素演出Ａが発生することは、チャンスアップパターンではないとする。
【０１０５】
第一演出例および第二演出例はいずれも、要素演出の発生回数が三回（ステップアップが三段階進行するもの）であり、その点において共通する。したがって、要素演出の発生回数によって示唆される信頼度という面においては同じである。しかし、第一演出例は、要素演出Ｃの次に要素演出Ｆが発生するというチャンスアップパターンを含んでいるため、チャンスアップパターンを全く含んでいない第二演出例よりも信頼度が高い。
【０１０６】
しかも、第一演出例および第二演出例は、いずれも、ステップアップ演出２０が完了した時点、すなわち演出の結末の態様はキャラクタＡ、Ｃ、Ｆが第二態様２２となっているため同じである。つまり、ステップアップ演出２０の結末の態様は同じであるにも拘わらず、それによって示唆される信頼度の高低は異なるといった状況が生じうるものである。このように、演出の途中を見逃してしまうと、信頼度が高まったことを把握できないおそれがあるため、結末に至るまでの過程にも注目させる演出とすることが可能である。
【０１０７】
仮に、要素演出Ｃの次に要素演出Ｆが発生するということ以外のチャンスアップパターンが設定されていない場合、例えば要素演出Ｆ→要素演出Ｃ→要素演出Ｂの順でステップアップが発生する第三演出例の信頼度（図２０に示す表の三段目）は、第二演出例と同じにされる。つまり、本例では、チャンスアップパターンが含まれない場合、要素演出の発生回数のみにより、信頼度が示唆されるように設定されている。
【０１０８】
チャンスアップパターンは、三つ以上の要素演出の順により設定されていてもよい。例えば、要素演出Ｃ→要素演出Ｆ→要素演出Ｄという順で発生することがチャンスアップパターンとして設定されていてもよい。
【０１０９】
なお、要素演出が所定の順番で発生するということがチャンスアップパターンであることを示す表示がなされるようにしてもよい。当該表示は、実際にチャンスアップパターンが発生したときになされるようにしてもよいし、チャンスアップパターンが発生していないときに、演出の説明として表示されるようにしてもよい。
【０１１０】
このように、本例によれば、要素演出（ステップアップ）が何回発生するかということだけでなく、要素演出が発生する順番によっても当否判定結果が当たりとなる蓋然性が示唆されるという従来にない面白みのある演出とすることが可能である。
【０１１１】
また、ステップアップ完了後の最終的な結末の態様が同じであっても、その途中の要素演出の発生順番によって当否判定結果が当たりとなる蓋然性が異なる場合があるように設定されているため、最終的な結末だけでなく、その結末に至るまでの過程にも注目させる演出とすることが可能である。
【０１１２】
また、各要素演出には、キャラクタ（本例ではキャラクタＡ〜Ｆ）が対応づけられているため、要素演出の発生順を分かりやすくすることが可能である。
【０１１３】
本例をさらに発展させた例として、図２１（ａ）に示すように、要素演出の発生回数（ステップアップがどの段階まで進行したか）に応じてチャンスアップパターンが設定された構成とすることが挙げられる。つまり、要素演出の発生回数が二回の場合は、要素演出Ａ→要素演出Ｃの順（特定順番）、三回の場合は要素演出Ｃ→要素演出Ｆの順（特定順番とは異なる順番）・・・といったようにする。
【０１１４】
図２１（ａ）に示した例のように、要素演出の発生回数のそれぞれに応じて設定されたチャンスアップパターンが互いに異なっていることが好ましいが、発生回数が二回と四回の場合はチャンスアップパターンが同じである、といったように、複数種の発生回数のうちの一部のチャンスアップパターンを同じにすることを否定するものではない。また、発生回数のそれぞれに応じたチャンスアップパターンを構成する要素演出の数は、図２１（ａ）に示すように同じであってもよいし、少なくとも一部が異なるものとしてもよい。例えば、要素演出の発生回数が二回〜四回の場合はチャンスアップパターンを構成する要素演出の数は二つであるが、要素演出の発生回数が五回の場合はチャンスアップパターンを構成する要素演出の数が三つである、といった設定としてもよい。
【０１１５】
なお、このような構成とする場合においても、チャンスアップパターンを構成する要素演出がチャンスアップパターンとは異なる順番で発生したパターンは、チャンスアップパターンとして設定されていないとよい。図２１（ａ）に示した例で言えば、（要素演出Ａ→要素演出Ｃの逆である）要素演出Ｃ→要素演出Ａとなるパターン、（要素演出Ｃ→要素演出Ｆの逆である）要素演出Ｆ→要素演出Ｃとなるパターン、（要素演出Ａ→要素演出Ｂの逆である）要素演出Ｂ→要素演出Ａとなるパターン、（要素演出Ｂ→要素演出Ｆの逆である）要素演出Ｆ→要素演出Ｂとなるパターンは、いずれも、他のチャンスアップパターンとして設定されているものではない。
【０１１６】
このような構成とすれば、要素演出の発生回数と、チャンスアップパターンが組み合わされたものとなるため、演出の趣向性がさらに高まる。例えば、要素演出Ａ→要素演出Ｃの順で演出が進行した場合、ステップアップが二段階で留まるよう遊技者が願うことになる。
【０１１７】
図２１（ａ）に示す例をさらに発展させた例としては、図２１（ｂ）に示すように、要素演出の発生回数とチャンスアップパターンを構成する要素演出の数を一致させたものが考えられる。例えば、要素演出の発生回数が二回の場合は、要素演出Ａ→要素演出Ｃの順、三回の場合は要素演出Ｃ→要素演出Ｆ→要素演出Ｂの順、要素演出の発生回数が四回の場合は、要素演出Ａ→要素演出Ｂ→要素演出Ｃ→要素演出Ｆ・・・といったようにする。このようにすれば、ステップアップが完了するまで、チャンスアップパターンであるかどうかを把握することができないため、最後まで遊技者の興味を惹く演出とすることが可能である。
【０１１８】
また、別の例としては、発生する要素演出の順によって、当否判定結果が大当たりとなることが確定するようにしたものが考えられる。例えば、要素演出Ｃ→要素演出Ｄの順で発生した場合は、大当たりとなることが確定する確定順番が設定される。なお、三つ以上の要素演出により、大当たりとなることが確定する確定順番が構成されていてもよい。このように、当否判定結果が当たりとなることが確定する要素演出の発生順番である確定順番が設定されていれば、演出の過程にも注目させる演出とすることが可能である。
【０１１９】
このような構成とする場合、大当たりとなることが確定する確定順番を構成する要素演出がその他の順番で発生しても、大当たりとなることが確定しないように構成することが望ましい。つまり、上記例でいえば、要素演出Ｄ→要素演出Ｃの順で発生した場合には、大当たりとなることが確定しないようにする。三つ以上の場合も同様である。このように、確定順番を構成する要素演出がそれとは異なる順番で発生した場合であっても、当否判定結果が当たりとなることが確定しないようにすることで、演出の過程に対する注目の度合いをさらに高めさせることが可能である。
【０１２０】
以上、本発明の実施形態（および具体例）について詳細に説明したが、本発明は上記実施形態に何ら限定されるものではなく、本発明の要旨を逸脱しない範囲で種々の改変が可能である。
【０１２１】
上記実施形態にかかる遊技機１は、いわゆるぱちんこ遊技機であるが、表示装置を備える回動式遊技機等の他の種類の遊技機にも適用することが可能である。
上記実施形態から得られる具体的手段（遊技機）を以下に列挙する。
手段１にかかる遊技機は、当否判定結果を報知する識別図柄を表示する表示手段と、前記識別図柄を用いた単位演出を一または複数回繰り返し、その回数によって当否判定結果が当たりとなる蓋然性を示唆する連続演出を実行する連続演出実行手段と、当否判定結果を示唆する演出要素が段階的にステップアップするステップアップ演出を実行するステップアップ演出実行手段と、を備え、前記ステップアップ演出は、前記単位演出の発生によって前記演出要素がステップアップするように、かつ前記単位演出の発生時以外にも前記演出要素がステップアップする可能性があるように設定されており、当該ステップアップの発生回数が前記単位演出の発生回数以上となるように構成されていることを特徴とする。
手段１にかかる遊技機によれば、演出要素のステップアップが、単位演出の発生によって必ず発生するため、連続演出とステップアップの発生回数がリンクした趣向性の高い遊技性を実現することが可能である。
手段２にかかる遊技機は、手段１に記載の遊技機において、ある当否判定結果を報知する演出が開始される時点より前に、前記演出要素のステップアップが発生する、または発生することを予告する先読み演出が実行される可能性があることを特徴とする。
手段２にかかる遊技機のように、いわゆる先読み演出によってステップアップが発生するまたはステップアップの発生が予告されることがあるようにすることで、バリエーションに富んだ遊技性を実現することが可能となる。
手段３にかかる遊技機は、手段２に記載の遊技機において、前記先読み演出によって前記演出要素のステップアップが発生することが予告された場合には、前記ある当否判定結果を報知する演出が開始される際に、前記先読み演出によって発生することが予告されたステップアップを加味して、当該ある当否判定結果を報知する演出において前記演出要素のステップアップが発生するタイミングを決定することを特徴とする。
手段３にかかる遊技機のように、先読み演出によって演出要素のステップアップが発生することが予告された場合、ステップアップが発生する可能性があるタイミングのうちのいずれかを、先読みによって確定している分にあてる。このようにすることで、ある当否判定結果を報知する演出が開始される際に、ステップアップが発生する回数およびそのタイミングを決定する制御が複雑化するのを抑制することが可能である。
手段４にかかる遊技機は、手段３に記載の遊技機において、前記先読み演出によって前記演出要素のステップアップが発生することが予告された場合には、前記演出要素のステップアップが発生する可能性がある複数のタイミングのうちの最初のタイミングにおいて当該先読み演出によって予告された前記演出要素のステップアップが発生するように設定されており、前記ある当否判定結果を報知する演出が開始される際に、前記最初のタイミングを除いて、前記先読み演出によって予告された前記演出要素のステップアップ以外のステップアップが発生するタイミングを決定することを特徴とする。
手段４にかかる遊技機のように、先読み演出によって演出要素のステップアップが発生することが予告された場合、当該先読みによって予告されているステップアップが、最初のタイミングにおいて発生するようにすることで、ある当否判定結果を報知する演出が開始される際に、ステップアップが発生する回数およびそのタイミングを決定する制御が複雑化するのを抑制することが可能であるだけでなく、先読みとステップアップの関係を分かりやすくすることが可能である。
【符号の説明】
【０１２２】
１  遊技機
１０  識別図柄
１１  主図柄
１２  付随図柄
１２１  基本態様
１２２  特殊態様
１３  特定図柄
１４  対象図柄
２０  ステップアップ演出
２１  第一態様
２２  第二態様
２２ａ  基本画像
３０  擬似連続演出
４０  （特定）先読み演出
９１  表示装置
９１１  表示領域
【図１】
2018196830.tif 000003
【図２】
2018196830.tif 000004
【図３】
2018196830.tif 000005
【図４】
2018196830.tif 000006
【図５】
2018196830.tif 000007
【図６】
2018196830.tif 000008
【図７】
2018196830.tif 000009
【図８】
2018196830.tif 000010
【図９】
2018196830.tif 000011
【図１０】
2018196830.tif 000012
【図１１】
2018196830.tif 000013
【図１２】
2018196830.tif 000014
【図１３】
2018196830.tif 000015
【図１４】
2018196830.tif 000016
【図１５】
2018196830.tif 000017
【図１６】
2018196830.tif 000018
【図１７】
2018196830.tif 000019
【図１８】
2018196830.tif 000020
【図１９】
2018196830.tif 000021
【図２０】
2018196830.tif 000022
【図２１】
2018196830.tif 000023